(57)【要約】【課題】不安定な電源電圧によってマイクロコンピュータが暴走状態となり誤動作することを防止することのできるマイクロコンピュータの誤動作防止回路を提供する。【解決手段】本発明においては、レギュレータ１２０の入力段に構成された上述のスイッチ回路によって電源電圧を常時監視し、電源電圧が変動しマイクロコンピュータ１３０の動作電圧を下回った場合、レギュレータ１２０の出力を停止することでマイクロコンピュータ１３０への電源の供給を停止することが可能となり、確実にマイクロコンピュータ１３０へ最低動作電圧以上の電源を供給することができ、誤動作を防止することができる、マイクロコンピュータの誤動作防止回路を提供できる。【選択図】  図３
2005303426.tif 000002
【特許請求の範囲】
【請求項１】
電源電圧が変動するおそれのある電源によって動作する液晶テレビジョンの内部回路のマイクロコンピュータであって、電源と上記マイクロコンピュータとの間に定電圧回路を有するとともに、上記定電圧回路の入力段には電源電圧を常時監視し、上記マイクロコンピュータの動作電圧以上にて上記定電圧回路からの上記マイクロコンピュータへの電源供給を開始させるスイッチ回路を備えることを特徴とするマイクロコンピュータの誤動作防止回路。
【請求項２】
電源とマイクロコンピュータとの間に定電圧回路を有するとともに、上記定電圧回路の入力段には電源電圧を常時監視し所定電圧にて上記定電圧回路を制御するスイッチ回路を備えることを特徴とするマイクロコンピュータの誤動作防止回路。 
【請求項３】
上記所定電圧は、上記マイクロコンピュータの動作電圧以上であることを特徴とする請求項２に記載のマイクロコンピュータの誤動作防止回路。 
【請求項４】
上記定電圧回路の入力段のスイッチ回路は、トランジスタと抵抗を用いた回路構成であることを特徴とする請求項３に記載のマイクロコンピュータの誤動作防止回路。 
【請求項５】
上記定電圧回路の入力段のスイッチ回路は、電源電圧対ＧＮＤに２個の抵抗を直列に接続し、上記抵抗の分割点をベースとするＮＰＮ型トランジスタを有し、上記トランジスタのコレクタは抵抗で電源電圧プルアップされ、上記トランジスタのエミッタを定電圧回路の出力電圧動作制御端子に接続された回路構成であることを特徴とする請求項４に記載のマイクロコンピュータの誤動作防止回路。 
【請求項６】
上記定電圧回路の入力段のスイッチ回路は、リセットＩＣであることを特徴とする請求項２または請求項３のいずれかに記載のマイクロコンピュータの誤動作防止回路。 
【発明の詳細な説明】
【技術分野】
【０００１】
本発明は、電源電圧が不安定な場合にマイクロコンピュータが暴走状態となり誤動作することを防止する回路に関する。
【背景技術】
【０００２】
従来、家庭用電源などの不安定な電源で動作する電子機器の回路では、電子機器のマイクロコンピュータへの安定した電源供給をするために、上記電源とマイクロコンピュータとの間に定電圧回路を設けていた。
【０００３】
図１は液晶テレビジョンの内部回路におけるバックアップ電源の概略図であり、図中の電源１は、ＡＣ電源端子からの電源供給を受けて所定の電源回路にて交流電圧を所定の直流電圧に変換して内部回路を駆動する直流電源である。上記電源１からの直流電圧を、内部回路を駆動可能な所定電圧まで降圧するために、定電圧回路であるレギュレータ２を介して、液晶テレビジョンのシステム駆動中枢であるマイクロコンピュータ３の電源端子に電源が供給されている。また、上記マイクロコンピュータ３には、所定電圧にて上記マイクロコンピュータ３をリセットするリセットＩＣ４が接続されており、常に上記マイクロコンピュータ３の動作電圧を監視する。
以上のように構成された回路において、上記液晶テレビジョンの電源をオンしたときには、電源１から内部回路に安定した電源供給がなされるが、上記電源オフ時、すなわち上記内部回路がスタンバイ状態のとき上記電源１から供給される電源は、家庭内での電源の負荷状況により電圧が変動する不安定な電源電圧となる場合がある。  
上記スタンバイ状態での例として、上記電源１からバックアップ電源が内部回路へ供給されているとき、供給電源が変動しマイクロコンピュータ３の動作電圧を下回ると、リセットＩＣ４によりリセットがかかるものの、マイクロコンピュータ３に供給されている電源が不安定な状態なので、不定となり暴走し動作しなくなることがある。
【０００４】
上記のように、不安定な電源で動作する機器に搭載されているマイクロコンピュータの熱暴走防止としては以下の技術がある。
まず特開昭５３−１０６５２４号公報では、電源電圧の変動が激しい、車載用機器に搭載されているマイクロコンピュータの暴走を防止するために、基準電圧と電源の出力電圧を比較する比較回路を用いて結果に応じマイクロコンピュータをリセットさせる技術についての記載がある。
また特開昭５９−１１６８２７号公報では、電源電圧がディジタル素子の動作電圧を下回ったときにディジタル回路に対しリセット信号を発する技術についての記載がある
【特許文献１】特開昭５３−１０６５２４
【特許文献２】特開昭５９−１１６８２７
【発明の開示】
【発明が解決しようとする課題】
【０００５】
上記従来技術では以下の課題があった。
背景技術で述べたスタンバイ状態での例として、上記電源１からバックアップ電源が上記内部回路へ供給されているとき、供給電源が変動しマイクロコンピュータ３の動作電圧を下回ると、マイクロコンピュータ３にはリセットＩＣ４によりリセットはかかるものの、供給されている電源が不安定な状態なので、マイクロコンピュータ３は不定となり暴走し、動作しなくなることがある。
このように、電源電圧の変動によるマイクロコンピュータの誤動作を解決するため、上記従来技術ではリセット回路およびリセット信号を利用して、電源電圧が変動しマイクロコンピュータの動作電圧を下回ったところで、リセット回路やリセット信号によりマイクロコンピュータをリセットし誤動作を防止している。
しかしリセットＩＣや定電圧回路を用いても、定電圧回路の出力特性により、マイクロコンピュータへ供給する電源電圧がマイクロコンピュータの動作電圧よりも下回って供給される場合がある。
【０００６】
本発明は以上の課題を解決するためのものであり、不安定な電源電圧によってマイクロコンピュータが暴走状態となり誤動作することを防止する、マイクロコンピュータの誤動作防止回路を提供することを目的とする。
【課題を解決するための手段】
【０００７】
上記問題を解決する為に上記請求項２に記載の発明は、電源とマイクロコンピュータとの間に定電圧回路を有するとともに、上記定電圧回路の入力段には電源電圧を常時監視し所定電圧にて上記定電圧回路を制御するスイッチ回路を備えることを特徴とする構成としている。
上記のように構成した請求項２の発明によれば、電源電圧に接続された、上記定電圧回路の入力段での電圧を、上記スイッチ回路によって常時監視し、所定電圧で上記スイッチ回路のトランジスタがオン、オフし上記定電圧回路の出力を制御できる、すなわちマイクロコンピュータの電源電圧の所定電圧での供給を制御することが可能となる。
【０００８】
請求項３の発明によれば、上記請求項２に記載の上記所定電圧は、上記マイクロコンピュータの動作電圧以上であることを特徴とする構成としている。
上記のように構成した請求項３の発明によれば、マイクロコンピュータの動作電圧以上で上記スイッチ回路のトランジスタがオンし上記定電圧回路の出力が開始される、上記定電圧回路に入力されている電圧は既に上記マイクロコンピュータの動作電圧以上となっているので、上記定電圧回路から出力される電圧も上記動作電圧の範囲内となることが可能となる。
【０００９】
また、請求項４の発明によれば、上記請求項３に記載の上記定電圧回路の入力段のスイッチ回路は、トランジスタと抵抗を用いた回路構成であることを特徴とする構成としている。
上記のように構成した請求項４の発明によれば、上記スイッチ回路は、所定の入力電圧に対しトランジスタのオン、オフが可能となるような回路構成にすることにより、トランジスタの出力を定電圧回路の出力を制御でき、マイクロコンピュータに所定電圧を供給することが可能となる。
【００１０】
請求項５の発明によれば、上記請求項４に記載の上記定電圧回路の入力段のスイッチ回路は、上記電源電圧対ＧＮＤに２個の抵抗を直列に接続し、上記抵抗の分割点をベースとするＮＰＮ型トランジスタを有し、上記トランジスタのコレクタは抵抗で電源電圧プルアップされ、上記トランジスタのエミッタを定電圧回路の出力電圧動作制御端子に接続された回路構成であることを特徴とする構成としている。
上記のように構成した請求項５の発明によれば、電源電圧を抵抗分割し、マイクロコンピュータの動作電圧以上で上記トランジスタがオンするように抵抗の定数を決め、上記トランジスタのコレクタ端子を電源電圧でプルアップし、上記トランジスタがオンするとエミッタ端子より出力され上記定電圧回路の出力電圧動作制御端子をマイクロコンピュータの動作電圧以上でオンでき、上記動作電圧以上の電源をマイクロコンピュータに供給することが可能となる。
【００１１】
さらに請求項６の発明によれば、上記請求項２または請求項３のいずれかに記載の上記定電圧回路の入力段のスイッチ回路は、リセットＩＣであることを特徴とする構成としている。
上記のように構成した請求項６の発明によれば、上記リセットＩＣの入力は電源電圧であり、出力は上記定電圧回路の出力電圧動作制御端子である。上記リセットＩＣの検出電圧および解除電圧をマイクロコンピュータの最低動作電圧以上に設定することにより、上記定電圧回路からの出力を制御し、マイクロコンピュータに供給することが可能となる。
【００１２】
ここで、請求項１は電源電圧が変動するおそれのある電源によって動作する液晶テレビジョンの内部回路のマイクロコンピュータであって、電源と上記マイクロコンピュータとの間に定電圧回路を有するとともに、上記定電圧回路の入力段には電源電圧を常時監視し、上記マイクロコンピュータの動作電圧以上にて上記定電圧回路からの上記マイクロコンピュータへの電源供給を開始させるスイッチ回路を備えることを特徴とする構成としており、請求項１は上記請求項２から請求項５の手段と作用を総合したものと言える。
【発明の効果】
【００１３】
以上説明したように、請求項１にかかる発明によれば、上記定電圧回路入力段の電圧を監視するスイッチ回路によって制御することにより、確実に上記マイクロコンピュータの最低動作電圧以上の電源を供給することが可能となるので、マイクロコンピュータが不定の状態になり暴走することを防止でき、誤動作を防止する効果がある。
また、請求項２にかかる発明によれば、上記マイクロコンピュータへ供給する電源電圧を、上記定電圧回路入力段の電圧を監視するスイッチ回路によって制御し、上記マイクロコンピュータへ所定電圧での供給を開始できることにより、安定した供給をできる効果がある。
【００１４】
請求項３にかかる発明によれば、上記定電圧回路から出力される電圧はマイクロコンピュータの動作電圧以上とすることが可能となり、マイクロコンピュータの誤動作を確実に防止する効果がある。
請求項４および請求項５にかかる発明によれば、電源の電圧を定電圧回路の入力段で常時監視し、定電圧回路の出力を制御することで、確実にマイクロコンピュータの動作電圧範囲内の電源を供給することが可能となる効果がある。
請求項６にかかる発明によれば、請求項４から請求項５の作用と効果をＩＣ素子にて採用することができるので、本発明に関して少ない部品点数で実現できる効果がある。
【発明を実施するための最良の形態】
【００１５】
ここでは、下記の順序に従って本発明の実施の形態について説明する。
（１）液晶テレビジョンの構成：
（２）第１実施形態：
（３）第２実施形態：
（４）まとめ：
（１）液晶テレビジョンの構成：
【００１６】
図２は本発明にかかる液晶テレビジョンの概略構成を示したブロック構成図である。
同図において液晶テレビジョン１０は、概略、チューナ１２と、映像信号処理回路１４と、マイクロコンピュータ１３と、液晶パネル１５ととから構成されている。
なお、以下の説明では、音声信号についての記述を省略する。
同図において、チューナ１２は、アンテナ１２ａを介してテレビ放送帯域に対応した所望周波数のテレビジョン信号を受信するとともに、この受信したテレビジョン信号から所要の信号だけを選択して高周波増幅し、中間周波信号に変換して出力する。
チューナ１２から出力された中間周波信号が映像信号処理回路１４に入力されると、映像信号処理回路１４は、入力された中間周波信号に各種の信号処理を施すことで合成映像信号を復元し、映像信号や音声信号等を抽出して液晶パネル１５と図示しないスピーカとに出力する。
【００１７】
ここで、上記チューナ１２および映像信号処理回路１４には、マイクロコンピュータ１３が接続されており、このマイクロコンピュータ１３は、図示しない操作パネルやリモコン送信機などで実行された操作に基づいて、チューナ１２および映像信号処理回路１４に制御指示を与え、装置全体の制御を行っている。
上記チューナ１２、映像信号処理回路１４およびマイクロコンピュータ１３の電源端子には、電源回路１１が接続されており、電源回路１１は、各デバイスに電力供給を行っている。なお、上記電源回路１１には、整流回路１１ａおよび定電圧電源１１ｂが設けられており、差込プラグをコンセントに差し込んだ時点で商用交流電圧の供給を受け、交流電圧を直流電圧に変換して、さらに内部回路を駆動する電圧まで降圧した直流電源をマイクロコンピュータ１３などの各デバイスに出力する。
【００１８】
上記電源は、家庭用電源であり家庭内での電源の負荷状況により電圧が変動する、不安定な電源電圧となる場合がある。特に上記液晶テレビジョンの電源オフ時、すなわちスタンバイ状態のときに電源電圧が変動し、内部回路においてバックアップ電源に接続されているマイクロコンピュータ１３へ、安定した電源供給をするための定電圧回路の性能により、動作電圧を下回った電源電圧がマイクロコンピュータ１３へ出力されることがある。このときバックアップ動作中のマイクロコンピュータ１３にはリセットがかかるものの、供給されている電源電圧が不安定なためマイクロコンピュータ１３が誤動作する可能性がある。
そこで、上記マイクロコンピュータ１３の誤動作を防止するために、上記定電圧回路の入力段に電源電圧監視用の回路を設け、確実にマイクロコンピュータの動作電圧以上の電源電圧を、定電圧回路から出力できる回路の実施例を以下説明していく。
（２）第１実施形態：
【００１９】
図３は本実施形態にかかる回路の概略構成図である。
電源１１０は本実施形態における直流電圧を出力する電源であり、電源ラインを介してレギュレータ１２０の電源入力端子に接続されている、上記レギュレータ１２０の入力段に構成されたスイッチ回路１５０は、上記電源１１０からの電源ラインに２個の抵抗Ｒ１、Ｒ２を対ＧＮＤに直列に接続し、上記抵抗Ｒ１、Ｒ２の分割点ＡをベースとするＮＰＮ型トランジスタＴｒ１を有し、上記トランジスタＴｒ１のコレクタはプルアップ抵抗Ｒ３を介して電源ラインに接続され、上記トランジスタＴｒ１のエミッタをレギュレータ１２０の出力制御端子に接続している。また、上記レギュレータ１２０の出力はマイクロコンピュータ１３０の電源端子に接続されており、上記マイクロコンピュータ１３０の電源ラインにはリセットＩＣ１４０が対ＧＮＤに接続され、その出力はマイクロコンピュータ１３０のリセット入力端子に接続されている。以上のように回路が構成されており、上記各素子の定数は任意である。また、上記マイクロコンピュータ１３０に接続される上記リセットＩＣ１４０の周辺回路も、使用する素子の仕様により任意とする。
【００２０】
以上のように構成された回路について、動作例を説明する。
まず、電源が安定して供給される、液晶テレビジョンの電源がオンのとき、すなわち電源１１０からの出力電圧が１０Ｖである場合の回路動作を説明する。
上記電源１１０はＡＣ電源端子からの電源供給を受けて所定の電源回路にて、交流電圧を直流電圧に変換して内部回路を駆動する直流電源である。上記電源１１０から供給される電源電圧が、上記電源１１０からの直流電圧１０Ｖを内部回路を駆動可能な電圧である５Ｖまで降圧するための定電圧回路であるレギュレータ１２０に入力される。
上記レギュレータ１２０は入力段に構成されたスイッチ回路１５０を有しており、電源１１０からの電源電圧は、電源ラインに対ＧＮＤに直列接続した２個の抵抗Ｒ１、Ｒ２により抵抗分割される。上記抵抗Ｒ１、Ｒ２の分割点ＡをベースとするＮＰＮ型トランジスタのオン電流の値は、電源電圧がマイクロコンピュータ１３０の動作電圧以下まで落ち込んだ場合を想定し、上記抵抗Ｒ１、Ｒ２の定数を設定し、決定される。本実施形態ではマイクロコンピュータの動作電圧範囲５Ｖ±０．１Ｖにより最低動作電圧以上で上記トランジスタＴｒ１をオンさせるため、上記スイッチ回路１５０に４．９Ｖ以上の入力でトランジスタＴｒ１がオンするように上記抵抗Ｒ１、Ｒ２の定数を設定する。
【００２１】
ここで、レギュレータ１２０は、出力のオンオフ制御が可能な出力制御端子を有しており、上記出力制御端子がＨｉｇｈで出力し、Ｌｏｗで出力停止する。またマイクロコンピュータ１３０の動作電圧５Ｖ±０．１Ｖにより、５Ｖ標準出力の仕様としており、入力電圧が変化しても、出力電圧５Ｖを一定に保つが、出力電圧は入力電圧より高くなることは無い。
【００２２】
上記スイッチ回路１５０に１０Ｖが入力され、４．９Ｖ以上なのでＴｒ１がオンすると、プルアップ抵抗Ｒ３によるＨｉｇｈ出力は上記レギュレータ１２０の出力制御端子に入力され、上記レギュレータ１２０は入力電圧、すなわち本実施形態における電源１１０からの出力電圧である１０Ｖを入力して定電圧化し、標準で５Ｖを出力する。
出力された５Ｖは電源ラインを介して、マイクロコンピュータ１３０に供給される。このときリセットＩＣ１４０は電源立ち上がり時の検出電圧でマイクロコンピュータ１３０にリセットをかけマイクロコンピュータ１３０をスタートさせる。動作電圧範囲である５Ｖが供給されるのでマイクロコンピュータ１３０は通常動作が可能である。
【００２３】
次に、液晶テレビジョンの電源がオフしている状態で、バックアップとして内部回路に電源が供給されているとき、電源電圧は不安定となる。そこで、電源１１０から、マイクロコンピュータ１３０の最低動作電圧である４．９Ｖが出力された場合の回路動作を説明する。
上記電源１１０からの直流電圧４．９Ｖが上記レギュレータ１２０の入力段に構成されたスイッチ回路１５０に入力される。４．９Ｖ以上なのでトランジスタＴｒ１はオンし、プルアップ抵抗Ｒ３によりＨｉｇｈが上記レギュレータ１２０の出力制御端子に入力され、上記レギュレータ１２０は入力電圧、すなわち本実施形態における電源１１０からの出力電圧である４．９Ｖを入力するが、出力電圧は入力電圧より高くなることは無いため４．９Ｖを出力する。よって上記同様マイクロコンピュータ１３０の動作電圧範囲なので、正常動作することが可能である。
【００２４】
次に、上記と同様に液晶テレビジョンの電源がオフしている状態で、バックアップとして内部回路に電源が供給されているとき、電源電圧は不安定でありバックアップに必要なマイクロコンピュータ１３０の動作電圧を下回る可能性もある。そこで電源１１０から、マイクロコンピュータ１３０の最低動作電圧以下の４．８Ｖが出力された場合の回路動作を説明する。
図１に示す従来の回路であれば、電源１から４．８Ｖが出力されるとレギュレータ２は出力するものの、入力電圧より出力電圧が高くなることは無いため、４．８Ｖをマイクロコンピュータ３に供給する。すると電源電圧の低下によりリセットＩＣ４がマイクロコンピュータ３にリセットをかけるが、安定しない電圧のため不安定な動作をする可能性がある。
しかし本発明では、上記電源１１０からの直流電圧４．８Ｖがレギュレータ１２０の入力段に構成されたスイッチ回路１５０に入力され、電源１１０からの電源電圧４．８Ｖは、電源ラインに対ＧＮＤに直列接続した２個の抵抗Ｒ１、Ｒ２により抵抗分割されるが、４．９Ｖに満たないためトランジスタＴｒ１はオフのままでＬｏｗが、上記レギュレータ１２０の出力制御端子に入力されるので上記レギュレータ１２０は出力動作しない。その結果、上記マイクロコンピュータ１３０には電源が供給されず停止状態となるので、誤動作は起きない。
【００２５】
このように本実施形態では、電源電圧がマイクロコンピュータ１３０の動作電圧以下である場合、レギュレータ１２０の入力段に構成された上述のスイッチ回路にて、電源電圧が抵抗Ｒ１、Ｒ２の分圧により動作するトランジスタスイッチによって検出され、レギュレータ１２０の出力を停止することでマイクロコンピュータ１３０への電源の供給を停止することが可能となり、マイクロコンピュータ１３０の誤動作を防止できる。
（３）第２実施形態：
【００２６】
図４は本実施形態にかかる回路の概略構成図である。
電源２１０は本実施形態における直流電圧を出力する電源であり、電源ラインを介してレギュレータ２２０の電源入力端子に接続されている。上記レギュレータ２２０は出力電圧のオン、オフ制御が可能な出力制御端子を有し、入力段には、上記電源２１０からの電源ラインにリセットＩＣ２５０が対ＧＮＤに接続され、その出力は上記レギュレータ２２０の出力制御端子に接続されている。また、上記レギュレータ２２０の出力はマイクロコンピュータ２３０の電源端子に接続されており、上記マイクロコンピュータ２３０の電源ラインにはリセットＩＣ２４０が対ＧＮＤに接続され、その出力はマイクロコンピュータ２３０のリセット入力端子に接続した回路構成である。
上記各素子の定数は任意である。また、上記レギュレータ２２０およびマイクロコンピュータ２３０に接続される、上記リセットＩＣ２４０およびリセットＩＣ２５０の周辺回路は使用する素子の仕様により任意とする。
【００２７】
以上のように構成された回路について、動作例を説明する。
電源２１０は上述してきた実施例と同様に、ＡＣ電源端子からの電源供給を受けて所定の電源回路にて交流電圧を所定の直流電圧に変換して内部回路を駆動する直流電源である。上記電源２１０から供給される電源電圧は、上記電源２１０からの直流電圧を、内部回路を駆動可能な所定電圧まで降圧するための定電圧回路であるレギュレータ２２０に入力される。
上記レギュレータ２２０の入力段ではリセットＩＣ２５０が電源電圧を検出し、その出力は上記レギュレータ２２０の出力制御端子に接続されており、レギュレータ２２０の出力制御を行っている。上記レギュレータ２２０により定電圧化された出力はマイクロコンピュータ２３０に供給される。
【００２８】
ここでリセットＩＣ２５０は、アクティブＬｏｗであり、電源電圧が低下し、検出電圧以下になるとＬｏｗが出力され上記レギュレータ２２０の出力を停止する。また、電源電圧がリセットＩＣ２５０の解除電圧以上ではＨｉｇｈが出力され上記レギュレータからの出力が可能である。マイクロコンピュータ２３０の動作電圧範囲５Ｖ±０．１Ｖにより、最低動作電圧以上で上記レギュレータ２２０の出力制御端子をオンさせるための条件に見合った特性のリセットＩＣ２５０を使用する。本実施形態では、検出電圧のＭｉｎ値が４．９ＶのリセットＩＣ２５０とする。
このとき、電源電圧が低下しマイクロコンピュータ２３０の最低動作電圧である４．９Ｖになると、リセットＩＣ２５０はＨｉｇｈ出力のままであるため、レギュレータ２２０からは電圧が出力されており、その出力電圧は上述してきた仕様により４．９Ｖである。よってマイクロコンピュータ２３０は正常動作する。
次に、上記より電源電圧がさらに低下しマイクロコンピュータ２３０の最低動作電圧を下回る４．８Ｖになると、リセットＩＣ２５０はＬｏｗ出力し、レギュレータ２２０からの出力は停止する。その結果、マイクロコンピュータ２３０には電源が供給されず、誤動作を回避することができる。
【００２９】
このように本実施形態では、電源電圧がマイクロコンピュータ２３０の動作電圧以下である場合、レギュレータ２２０の入力段にて、電源電圧がリセットＩＣ２５０によって検出され、その出力により、レギュレータ２２０の出力を停止することでマイクロコンピュータ１３０への電源の供給を停止することが可能となり、マイクロコンピュータ２３０の誤動作を防止できる。
（４）まとめ： 
【００３０】
以上説明したように、本発明においては、レギュレータ１２０の入力段に構成された上述のスイッチ回路によって電源電圧を常時監視し、電源電圧が変動しマイクロコンピュータ１３０の動作電圧を下回った場合、レギュレータ１２０の出力を停止することでマイクロコンピュータ１３０への電源の供給を停止することが可能となり、確実にマイクロコンピュータ１３０へ最低動作電圧以上の電源を供給することができ、誤動作を防止することができる、マイクロコンピュータの誤動作防止回路を提供できる。
【図面の簡単な説明】
【００３１】
【図１】液晶テレビジョンの本発明にかかる従来の概略構成図である。
【図２】液晶テレビジョンの概略構成を示したブロック構成図である。
【図３】第１実施形態にかかる回路の概略構成図である。
【図４】第２実施形態にかかる回路の概略構成図である。
【符号の説明】
【００３２】
１      電源
２      レギュレータ
３      マイクロコンピュータ
４      リセットＩＣ
１０    液晶テレビジョン
１１    電源回路
１１ａ  整流回路
１１ｂ  定電圧電源
１１０  電源
１２０  レギュレータ
１３０  マイクロコンピュータ
１４０  リセットＩＣ
１５０  スイッチ回路
２１０  電源
２２０  レギュレータ
２３０  マイクロコンピュータ
２４０  リセットＩＣ
２５０  リセットＩＣ
【図１】
2005303426.tif 000003
【図２】
2005303426.tif 000004
【図３】
2005303426.tif 000005
【図４】
2005303426.tif 000006